(57)【要約】【課題】本発明の課題は、コネクタ接続部の小型化・細径化を行い、管路の凹凸部分や曲がりの部分での引っ掛かりを防ぎ、布設・配線作業の作業性を向上できるコネクタ付光ファイバコード牽引装置及び方法を提供することにある。【解決手段】本発明は、コネクタ付光ファイバコードを配線する際に光ファイバコードを牽引するためのコネクタ付光ファイバコード牽引装置であって、光ファイバコード２２の一端に取り付けられたコネクタと接続するためのコネクタ接続部１３と、コネクタ接続部１３に回動自在に設けられ、牽引索が取り付けられる牽引索取付部１８とを具備することを特徴とするものである。【選択図】      図１
2008134553.tif 000002
【特許請求の範囲】
【請求項１】
コネクタ付光ファイバコードを配線する際に光ファイバコードを牽引するためのコネクタ付光ファイバコード牽引装置であって、
光ファイバコードの一端に取り付けられたコネクタと接続するためのコネクタ接続部と、
前記コネクタ接続部に回動自在に設けられ、牽引索が取り付けられる牽引索取付部と
を具備することを特徴とするコネクタ付光ファイバコード牽引装置。
【請求項２】
コネクタ接続部の牽引索側端部及び牽引索取付部の牽引索側端部がそれぞれ曲線形状に形成されることを特徴とする請求項１に記載のコネクタ付光ファイバコード牽引装置。
【請求項３】
コネクタ付光ファイバコードとして、光ファイバコードにＳＣコネクタプラグを設けたコネクタ付光ファイバコードを用いることを特徴とする請求項１又は２に記載のコネクタ付光ファイバコード牽引装置。
【請求項４】
牽引索取付部として、コネクタ接続部にスイベル型のジョイント金具を介して取り付けられたループ状の牽引索取付部を用いることを特徴とする請求項１又は２に記載のコネクタ付光ファイバコード牽引装置。
【請求項５】
コネクタ接続部として、コネクタ付光ファイバコードのコネクタの突起に引っ掛けるための開口を設けたつまみ、及びコネクタ付光ファイバコードのコネクタの凹部に引っ掛けるための突起を設けたつまみより構成されるコネクタ接続部を用いることを特徴とする請求項１又は２に記載のコネクタ付光ファイバコード牽引装置。
【請求項６】
請求項１乃至５のいずれかに記載のコネクタ付光ファイバコード牽引装置を用い、牽引索取付部に牽引索を取り付け、その後、コネクタ接続部にコネクタ付光ファイバコードのコネクタを接続した後、牽引索により光ファイバコードを牽引することを特徴とするコネクタ付光ファイバコード牽引方法。
【発明の詳細な説明】
【技術分野】
【０００１】
本発明は、例えば屋内の配管等にコネクタ付光ファイバコードを布設・配線する際に光ファイバコードを牽引するためのコネクタ付光ファイバコード牽引装置及び方法に関するものである。
【背景技術】
【０００２】
光ファイバコードを布設・配線を行う場合には、配線を行うルートあるいは配管にあらかじめ牽引索、すなわちロープやワイヤを布設しておき、その牽引索と布設を行う光ファイバコードを接続し、牽引索を巻き取ることにより光ファイバコードが牽引されて布設される。
【０００３】
近年は光ファイバケーブルの先端にコネクタがついた状態で布設するものも提案されている。
【０００４】
光ファイバケーブルを牽引するものとしては、特許文献１に示すようなものがあった。
【特許文献１】特開平９−１２７３４５号公報
【発明の開示】
【発明が解決しようとする課題】
【０００５】
従来の牽引索と光ファイバコードとの接続に用いる牽引用具においては、ＳＣコネクタの把持に係止片を用いる方法を用いているため、部材数が多く、結果として管路径に対して長く、大きい物となり、管路の凹凸部分や曲がりの部分にて引っ掛かり、牽引が困難になる場合がある。また、引っ掛かりによりコネクタ部及び光ファイバの破損も想定される。
【０００６】
本発明は上記の事情に鑑みてなされたもので、コネクタ付光ファイバコードのコネクタと接続するためのコネクタ接続部を新規の把持方法により小型化・細径化を行い、管路の凹凸部分や曲がりの部分での引っ掛かりを防ぎ、コネクタ付光ファイバコードの布設・配線作業の作業性を向上できるコネクタ付光ファイバコード牽引装置及び方法を提供することを目的とする。
【課題を解決するための手段】
【０００７】
上記目的を達成するために本発明は、コネクタ付光ファイバコードを配線する際に光ファイバコードを牽引するためのコネクタ付光ファイバコード牽引装置であって、光ファイバコードの一端に取り付けられたコネクタと接続するためのコネクタ接続部と、前記コネクタ接続部に回動自在に設けられ、牽引索が取り付けられる牽引索取付部とを具備することを特徴とするものである。
【０００８】
また本発明は、前記コネクタ付光ファイバコード牽引装置において、コネクタ接続部の牽引索側端部及び牽引索取付部の牽引索側端部がそれぞれ曲線形状に形成されることを特徴とするものである。
【０００９】
また本発明は、前記コネクタ付光ファイバコード牽引装置において、コネクタ付光ファイバコードとして、光ファイバコードにＳＣコネクタプラグを設けたコネクタ付光ファイバコードを用いることを特徴とするものである。
【００１０】
また本発明は、前記コネクタ付光ファイバコード牽引装置において、牽引索取付部として、コネクタ接続部にスイベル型のジョイント金具を介して取り付けられたループ状の牽引索取付部を用いることを特徴とするものである。
【００１１】
また本発明は、前記コネクタ付光ファイバコード牽引装置において、コネクタ接続部として、コネクタ付光ファイバコードのコネクタの突起に引っ掛けるための開口を設けたつまみ、及びコネクタ付光ファイバコードのコネクタの凹部に引っ掛けるための突起を設けたつまみより構成されるコネクタ接続部を用いることを特徴とするものである。
【００１２】
また本発明のコネクタ付光ファイバコード牽引方法は、前記コネクタ付光ファイバコード牽引装置を用い、牽引索取付部に牽引索を取り付け、その後、コネクタ接続部にコネクタ付光ファイバコードのコネクタを接続した後、牽引索により光ファイバコードを牽引することを特徴とする。
【発明の効果】
【００１３】
本発明のコネクタ付光ファイバコード牽引装置及び方法は、コネクタ付光ファイバコードのコネクタと接続するためのコネクタ接続部を新規の把持方法により小型化・細径化を行い、管路の凹凸部分や曲がりの部分での引っ掛かりを防ぎ、コネクタ付光ファイバコードの布設・配線作業の作業性を向上できる効果がある。
【発明を実施するための最良の形態】
【００１４】
以下図面を参照して本発明の実施の形態を詳細に説明する。
図１（ａ）は本発明の実施形態に係るコネクタ付光ファイバコード牽引装置を示す側面図であり、図１（ｂ）は本発明の実施形態に係るコネクタ付光ファイバコード牽引装置を示す正面図である。
【００１５】
図１（ａ），（ｂ）において、１１はＳＣ（Ｓｉｎｇｌｅ  ｆｉｂｅｒ  Ｃｏｕｐｌｉｎｇ）コネクタプラグ、１２は突起、１３はコネクタ接続部、１４は可撓性の上部つまみ、１５は可撓性の側面つまみ、１６は上部つまみ開口、１７はスイベル型のジョイント金具、１８は牽引索取付部、１９はフェルール、２０はコネクタつまみ、２１はブーツ、２２は光ファイバコード、２３は凹部、２４は側面つまみ突起である。
【００１６】
図１（ａ），（ｂ）に示すように、コネクタ付光ファイバコードは光ファイバコード２２の一端にＳＣコネクタプラグ１１が設けられ、光ファイバが光ファイバコード２２からフェルール１９まで貫通して構成される。コネクタ接続部１３は正面と裏面に短冊状の上部つまみ１４がそれぞれ設けられると共に、コネクタ接続部１３の両側面には短冊状の側面つまみ１５がそれぞれ設けられる。前記上部つまみ１４及び側面つまみ１５はＳＣコネクタプラグ１１の先端部から被せるように軸方向に摺動して挿入される。この場合、前記上部つまみ１４にはＳＣコネクタプラグ１１に設けられた上部突起１２を引っ掛けるための上部つまみ開口１６が設けられ、前記側面つまみ１５にはＳＣコネクタプラグ１１の側面に設けられた凹部２３を引っ掛けるための側面つまみ突起２４が設けられる。前記コネクタ接続部１３にはスイベル型のジョイント金具１７を介して牽引索が取り付けられる略Ｕ字ループ状の牽引索取付部１８が回動自在に取り付けられる。前記コネクタ接続部１３の牽引索側端部及び牽引索取付部１８の牽引索側端部はそれぞれ例えば円弧状等の曲線形状に形成される。
【００１７】
すなわち、上記のように構成したコネクタ付光ファイバコード牽引装置を用い、牽引索取付部１８には例えばロープもしくはワイヤ等の牽引索が取り付けられる。その後、コネクタ接続部１３の上部つまみ１４及び側面つまみ１５で囲まれた空間にＳＣコネクタプラグ１１を軸方向から摺動しながら挿入して被せると、ＳＣコネクタプラグ１１の上部突起１２に上部つまみ開口１６が引っ掛かると共に、ＳＣコネクタプラグ１１の凹部２３に側面つまみ突起２４が引っ掛かり、ＳＣコネクタプラグ１１は上部つまみ開口１６及び側面つまみ突起２４の３方面から把持される。このようにして、コネクタ接続部１３にコネクタ付光ファイバコードのコネクタを接続した後、牽引索を巻き取ることにより、光ファイバコード２２を例えば屋内の配管内に牽引して、コネクタ付光ファイバコードを布設・配線することができる。
【００１８】
この場合、牽引索取付部１８をコネクタ接続部１３にスイベル型のジョイント金具１７を介して回動自在に取り付けて縒り戻しを一体化させ、配線時に生じた縒りを牽引索取付部１８の回転によって随時解消できるようになっている。また、コネクタ接続部１３の牽引索側端部及び牽引索取付部１８の牽引索側端部をそれぞれ例えば円弧状等の曲線形状にすることにより、配管内壁との摩擦を小さくしている。
【００１９】
次に、本発明の実施形態に係る最適条件の根拠を説明する。
図２は本発明の実施形態の最適条件についての根拠に係わる配管内を通過できる条件を示す説明図である。図２において、３１は円弧状の配管であり、Ｏは配管３１を含む円の中心である。３２，３３，３４は中心Ｏ及び配管３１の中心軸を通る直線であり、直線３３，３４は直線３２に対してそれぞれ角度φの方向に配置される。Ａは直線３２が配管３１を通る最短内面点、Ｂは直線３２が配管３１を通る最長内面点、Ｃは直線３３が配管３１を通る最長内面点、Ｄは直線３４が配管３１を通る最長内面点、３５は配管３１の最短内面点Ａでの接線、ｘは接線３５と点Ｃ間の距離、ｙは点Ｃと点Ｄ間の距離、θは直線ＢＣと直線ＣＤがなす角度、ＲＣは直線ＯＢの距離、ＲＰは配管３１の直径である。
【００２０】
図２より、配管内を通過できる条件は次の式（１）の通り
【数１】
2008134553.tif 000003
【００２１】
よって式（２）を式（１）に代入すると、
【数２】
2008134553.tif 000004
【００２２】
本発明の実施形態に係るコネクタ付光ファイバコード牽引装置は布設する配管に対し、上記式（３）のｘ，ｙを満たすものとする。
【００２３】
尚、本発明品は、上記実施形態のＳＣ型コネクタのみならず、ＳＣ２型コネクタにも応用できる。その場合、より小型に設計することができる。
【００２４】
また、本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００２５】
【図１】（ａ），（ｂ）は本発明の実施形態に係るコネクタ付光ファイバコード牽引装置を示す側面図及び正面図である。
【図２】本発明の実施形態の最適条件についての根拠に係わる配管内を通過できる条件を示す説明図である。
【符号の説明】
【００２６】
１１…ＳＣコネクタ、１２…突起、１３…コネクタ本体、１４…上部つまみ、１５…側面つまみ、１６…上部つまみ開口、１７…ジョイント金具、１８…牽引索取付部、１９…フェルール、２０…コネクタつまみ、２１…ブーツ、２２…光ファイバコード、２３…凹部、２４…側面つまみ突起。
【図１】
2008134553.tif 000005
【図２】
2008134553.tif 000006